(57)【要約】【課題】  種々のオーディオ装置におけるサウンド処理が重複することを防止する。【解決手段】  ハンドセットとヘッドセットを含むサウンドシステムにおいて音質を向上させる。ハンドセットではハンドセットサウンド向上アルゴリズムを実施する。ハンドセットはハンドセットと通信状態にあるヘッドセットで複数のヘッドセットサウンド向上アルゴリズムのうちのどれがアクティブであるかを自動的に判断し、ハンドセットはヘッドセットサウンド向上アルゴリズムのどれがヘッドセット内でアクティブであるかに基づき、サウンド処理チャンネル内でハンドセットのサウンド向上アルゴリズムをどのように使用するかを決定する。【選択図】      図２
2005354683.tif 000002
【特許請求の範囲】
【請求項１】
協働するサウンド向上アルゴリズムのハンドセットの組を実現するハンドセットを備え、ハンドセットサウンド向上アルゴリズムの組内の各ハンドセットサウンド向上アルゴリズムがチャンネル内サウンド処理状態にされるかまたはチャンネル内サウンド処理から外れるかのいずれかで作動するようになっており、
複数のヘッドセットを備え、複数のヘッドセットのうちの各ヘッドセットがハンドセットと通信するように作動でき、各ヘッドセットが異なるヘッドセット内で実現される協働するサウンド向上アルゴリズムの第２組とは異なる協働するサウンド向上アルゴリズムのヘッドセットの組を実現し、各ヘッドセットが協働するサウンド向上アルゴリズムのヘッドセットの組をハンドセットに通知するように作動でき、前記ハンドセットがハンドセットと通信する複数のヘッドセットの各々に対するヘッドセットの組の通知の受信に基づき、各ハンドセットサウンド向上アルゴリズムを選択的にチャンネル内サウンド処理状態にするように作動する、音質を向上させるためのシステム。
【請求項２】
前記複数のヘッドセットが更に協働するサウンド向上アルゴリズムの組を実施しない少なくとも１つのヘッドセットを含み、少なくとも１つのヘッドセットが協働するサウンド向上アルゴリズムの組を実現しないことを認識し、この認識に基づき、所定のハンドセットサウンド向上アルゴリズムを選択的にチャンネル内処理状態とするように、少なくとも１つのヘッドセットと通信するハンドセットが作動するようになっている、請求項１記載の音質を向上するためのシステム。
【請求項３】
前記複数のヘッドセットのうちの少なくとも１つのサブセットに対し、各ヘッドセットが協働するサウンド向上アルゴリズムのうちのヘッドセットの組内のヘッドセットサウンド向上アルゴリズムのうちの少なくとも１つを選択的にチャンネル内サウンド処理状態とするか、またはチャンネル内処理状態から少なくとも１つのヘッドセットサウンド向上アルゴリズムを選択的に除くように、各ヘッドセットが作動するようになっている、請求項１記載の音質を向上するためのシステム。
【請求項４】
前記少なくとも１つのヘッドセットサウンド向上アルゴリズムを選択的に採用するか、または除去するかを制御するよう、前記ハンドセットと通信状態にある前記複数のヘッドセットのうちのサブセット内の各ヘッドセットに前記ハンドセットが信号を送信するように更に作動する、請求項３記載の音質を向上するためのシステム。
【請求項５】
前記ヘッドセットの作動状態を記述する前記ハンドセットから受信された信号に基づき、ハンドセットの組の作動を前記ハンドセットが調節するように更に作動する、請求項１記載の音質を向上するためのシステム。
【請求項６】
前記ハンドセットが第１ハンドセットであり、本システムが前記第１ハンドセットと通信する第２ハンドセットを更に備え、前記第１ハンドセットがチャンネル内に置かれた各ハンドセットサウンド向上アルゴリズムを表示する情報を前記第ハンドセットに送信するようになっている、請求項１記載の音質を向上するためのシステム。
【請求項７】
前記第２ハンドセットが前記第１ハンドセットから送信された情報に基づき、受信側サウンド向上処理の動作を決定するように作動する、請求項６記載の音質を向上するためのシステム。
【請求項８】
前記第２ハンドセットが前記第１ハンドセットから送信された情報に基づき、送信側サウンド向上処理の動作を決定するように作動する、請求項６記載の音質を向上するためのシステム。
【請求項９】
複数のヘッドセットのうちの１つと通信するハンドセットを備えた通信システムで音質を向上するための方法において、
各々がサウンド処理チャンネル内で使用するようになっている、複数のハンドセットサウンド向上アルゴリズムをハンドセット内で実現するステップと、
前記ハンドセットと通信するヘッドセット内で複数のヘッドセットサウンド向上アルゴリズムのどれがアクティブであるかをハンドセット内で自動的に判断するステップと、
ヘッドセット内で複数のヘッドセットサウンド向上アルゴリズムのうちのどれがアクティブであるかを判断することに基づき、前記サウンド処理チャンネル内でどのハンドセットサウンド向上アルゴリズムを使用するかをハンドセット内で自動的に決定するステップとを備え、よってハンドセットをヘッドセットの双方における重複したサウンド向上処理を回避する、音質を向上するための方法。
【請求項１０】
前記ハンドセットから受信した信号に基づき、前記ヘッドセット内の少なくとも１つのヘッドセットサウンド向上アルゴリズムを選択的にイネーブルまたはディスエーブルするステップを更に含む、請求項９記載の通信システムにおける音質を向上するための方法。
【請求項１１】
前記ヘッドセットから受信した信号に基づき、少なくとも１つのハンドセットのサウンド向上アルゴリズムの作動を調節するステップを更に含む、請求項９記載の通信システムにおける音質を向上するための方法。
【請求項１２】
前記ヘッドセットから受信した信号が前記ヘッドセットの少なくとも１つの作動状態を表示する、請求項１１記載の通信システムにおける音質を向上するための方法。
【請求項１３】
前記ハンドセットが第１のハンドセットであり、本方法が更に第２のハンドセットへ決定された第１のハンドセットのサウンド向上アルゴリズムの表示を送信するステップを更に含む、請求項９記載の通信システムにおける音質を向上するための方法。
【請求項１４】
前記第２のハンドセットへ送信される前記決定された第１のハンドセットのサウンド向上アルゴリズムの表示に基づき、前記サウンド処理チャンネル内でどの第２ハンドセットのサウンド向上アルゴリズムを使用するかを前記第２ハンドセット内で自動的に決定するステップを更に含む、請求項１３記載の通信システムにおける音質を向上するための方法。
【請求項１５】
ハンドセットおよび該ハンドセット通信するヘッドセットで実現される通信チャンネルにおける重複したサウンド向上処理を低減する方法において、
前記サウンド向上処理を複数の協働するアルゴリズムに分割するステップと、
前記ヘッドセット内で前記複数の共同するアルゴリズムのうちの少なくとも１つのサブセットを実施するステップと、
前記ヘッドセットから前記ハンドセットへ前記実施されたサブセットの表示を送信するステップとを備え、よって前記ハンドセットが前記通信チャンネルを処理するのに使用する前記複数の協働するアルゴリズムのうちの第２サブセットを選択的に決定し、よって前記ヘッドセット内で実施されるサウンド向上処理の繰り返しを防止することができる、重複したサウンド向上処理を低減する方法。
【請求項１６】
前記ハンドセットから送られた制御信号を前記ヘッドセットで受信するステップと、
前記受信した制御信号に基づき、前記ヘッドセット内の共同するアルゴリズムのうちの少なくとも１つを選択的にディスエーブルするステップとを更に備えた、請求項１５記載の通信チャンネルにおける重複したサウンド向上処理を低減する方法。
【請求項１７】
前記ハンドセットから送られた制御信号を前記ヘッドセットで受信するステップと、
前記受信した制御信号に基づき、前記ヘッドセット内の協働するアルゴリズムのうちの少なくとも１つにおける少なくとも１つのパラメータを選択的に調節するステップとを更に備えた、請求項１５記載の通信チャンネルにおける重複したサウンド向上処理を低減する方法。
【請求項１８】
前記ヘッドセットから前記ハンドセットへ送信された実施されたサブセットの表示に基づき、前記ハンドセット内で少なくとも１つのパラメータを調節するステップを更に含む、請求項１５記載の通信チャンネルにおいて重複したサウンド向上処理を低減する方法。
【請求項１９】
前記ヘッドセットから前記ハンドセットへ送信された前記ヘッドセットの作動状態の表示に基づき、前記ハンドセット内で少なくとも１つのパラメータを調節するステップを更に含む、請求項１５記載の通信チャンネルにおいて重複したサウンド向上処理を低減する方法。
【請求項２０】
複数の相互接続されたハンドセットを含む通信システムにおける音質を向上するための方法において、
相互接続チャンネルを通した送信を最適にする、第１のハンドセット内のサウンド向上アルゴリズムの第１のセットを決定するステップと、
前記相互接続チャンネルを通し、第２のハンドセットへサウンド向上アルゴリズムの組の表示を送信するステップと、
前記第１のハンドセットから送信された前記表示に基づき、前記第２のハンドセット内でサウンド向上アルゴリズムのうちのどの第２のセットを使用するかを前記第２のハンドセットで自動的に決定するステップとを備えた、通信システムにおける音質を向上するための方法。
【請求項２１】
複数のヘッドセットのうちのどれが前記第１のハンドセットと通信状態にあるかに基づき、サウンド向上アルゴリズムの第１のセットを決定するステップを実行する、請求項２３記載の方法。
【請求項２２】
前記サウンド向上技術を複数の共同するサウンド処理アルゴリズムに分割するステップを備え、各サウンド処理アルゴリズムをサウンド処理チャンネルに選択的に追加したり、このチャンネルから除いたりすることができ、前記複数の協働するサウンド処理アルゴリズムのうちの少なくとも１つのサブセットのうちの少なくとも１つのヘッドセットでの使用に対し、課金するステップと、
ハンドセット内での使用に対し、前記複数のサウンド処理アルゴリズムを自由に提供するステップとを備え、各ハンドセットが前記ハンドセットと通信するヘッドセットから情報を受信すると共に、受信した情報に基づき、前記ハンドセット内で実現されるサウンド処理チャンネルに選択的に各サウンド処理アルゴリズムを選択的に追加したり、アルゴリズムを除去したりするようになっている、サウンド向上技術を販売する方法。
【請求項２３】
ヘッドセットと通信するハンドセットを含む通信システムにおける音質を向上するための方法において、
前記ハンドセット内でサウンド向上アルゴリズムの一組を実施するステップを備え、サウンド向上アルゴリズムの組内の各サウンド向上アルゴリズムがサウンド処理チャンネル内で使用されるようになっており、
前記ヘッドセットの作動状態を表示する前記ヘッドセットからの信号を前記ハンドセット内で受信するステップと、
前記ヘッドセットから受信した信号に基づき、前記サウンド処理チャンネル内でサウンド向上アルゴリズムの組内のどのサウンド向上アルゴリズムを使用するかを前記ハンドセット内で自動的に決定するステップとを備えた、音質を向上するための方法。
【請求項２４】
通信チャンネルにおける重複したサウンド向上処理を低減する方法において、
前記サウンド向上処理を複数の協働するアルゴリズムに分割するステップと、
サウンド変換デバイス内で前記複数の協働するアルゴリズムのうちの少なくとも１つのサブセットを実施するステップと、
前記実施されたサブセットの表示を前記サウンド変換デバイスからインターフェースデバイスへ送信するステップを備え、前記インターフェースデバイスが、相互接続システムを通し、他のインターフェースデバイスと通信すると共に、サウンド信号を処理するようになっており、
よってインターフェースデバイスが前記サウンド信号を処理する際に使用する前記複数の協働するアルゴリズムのうちの第２サブセットを選択的に決定し、よってサウンド変換デバイス内で実施されるサウンド向上処理の繰り返しを回避できるようになっている、重複したサウンド向上処理を低減する方法。
【請求項２５】
前記インターフェースデバイスから送られた制御信号を前記サウンド変換デバイスで受信するステップと、
前記受信した制御信号に基づき、前記サウンド変換デバイス内で前記協働するアルゴリズムのうちの少なくとも１つを選択的にディスエーブルするステップとを備えた、請求項２４記載の通信チャンネルにおける重複したサウンド向上処理を低減する方法。
【請求項２６】
前記インターフェースデバイスから送られた制御信号を前記サウンド変換デバイスで受信するステップと、
前記受信した制御信号に基づき、前記サウンド変換デバイス内で前記協働するアルゴリズムのうちの少なくとも１つにおける少なくとも１つのパラメータを選択的に調節するステップとを備えた、請求項２４記載の通信チャンネルにおける重複したサウンド向上処理を低減する方法。
【請求項２７】
前記サウンド変換デバイスから前記インターフェースデバイスへ送信される、実施されたサブセットの表示に基づき、前記インターフェースデバイス内の少なくとも１つのパラメータを調節するステップを更に備えた、請求項２４記載の通信チャンネルにおける重複したサウンド向上処理を低減する方法。
【請求項２８】
前記サウンド変換デバイスから前記インターフェースデバイスへ送信される、前記サウンド変換デバイスの作動条件の表示に基づき、前記インターフェースデバイス内の少なくとも１つのパラメータを調節するステップを更に備えた、請求項２４記載の通信チャンネルにおける重複したサウンド向上処理を低減する方法。
【発明の詳細な説明】
【技術分野】
【０００１】
本発明は、多数の通信デバイスにおける通信チャンネルに沿ったサウンドを向上することに関する。
【背景技術】
【０００２】
通信デバイスは、数、機能、携帯性および得られるオプションが増加し続けている。電話は、従来の電話回線、無線信号、インターネット、衛星などの任意の組み合わせによって相互に接続できる。デバイス、例えばコンピュータ、パーソナルデジタルアシスタント（ＰＤＡ）、娯楽システムなどはこれまで電話に組み込まれていた通信機能を次第に取り込んでいる。例えば自動車は電話の通話、ドライバーの支援、緊急事故位置の特定、娯楽などを含む通信サービスを搭乗者に提供するテレマックスを内蔵している。
【０００３】
通信デバイスは種々の範囲の環境で作動している。これら環境はサウンド信号の歪み、不要なノイズの追加、音響エコーなどにより音質を劣化または悪化させ得る。更に送信チャンネル自身がバンド幅の制限、非線形性、回線エコー、サンプリングなどに起因し、サウンド信号を歪ませ得る。
【０００４】
多くの通信デバイスはサウンドを劣化させる種々の効果を補正または補償するためのサウンド向上処理装置を内蔵している。サウンド向上処理装置を設置する最適な位置は、できるだけ通信チャンネルの端部の近くすることが多い。一部のサウンド処理装置はサウンド源のより近くに位置するか、または通信チャンネルの開始点に位置するほうがより最適であるが、他のサウンド処理技術は通信チャンネル自身の内部に設置するほうがより良好である。
【発明の開示】
【発明が解決しようとする課題】
【０００５】
通信デバイスの普及により種々の機器を組み合わせ、マッチさせるという要求が生じている。例えば多数の異なるタイプの通信用トランシーバと共に使用するのに、有線および無線ヘッドセットが入手できる。通信デバイスがより複雑かつ強力になるにつれ、各デバイスにサウンド向上処理装置を内蔵させる傾向が多くなっている。従って、共通の通信チャンネルを形成する相互接続された通信デバイスで、サウンドを向上しようとする努力が重複し易くなっている。
【課題を解決するための手段】
【０００６】
本発明は、どのデバイスで、種々のサウンド向上アルゴリズムを使用するかを選択的に判断することにより、サウンド向上処理の重複を回避するものである。これらデバイスは、一般に１つ以上のマイクロフォンおよび／またはスピーカー、並びに通信システムを通って通信できるインターフェースデバイスを含むサウンド変換デバイスを備える。
【０００７】
本発明は音質を向上するためのシステムを含み、ハンドセットは協働するサウンド向上アルゴリズムのハンドセットの組を実施する。組内の各ハンドセットサウンド向上アルゴリズムを、サウンド処理のためにチャンネル内に入れたり、またはサウンド処理チャンネルから除くことができる。複数のヘッドセットのうちのいずれかはハンドセットと通信できる。各ヘッドセットは協働するサウンド向上アルゴリズムのヘッドセットの組を実施する。異なるヘッドセットはサウンド向上アルゴリズムの異なる組を実施し、異なるレベルの音質およびヘッドセットマーケットでのコストを可能にする。ハンドセットと通信するときに各ヘッドセットはそのヘッドセットの組をハンドセットに通知する。ハンドセットはハンドセットと通信するヘッドセットに対するヘッドセットの組の通知の受信に基づき、各ハンドセットサウンド向上アルゴリズムをチャンネルに入れる。
【０００８】
本発明の一実施形態では、少なくとも１つのヘッドセットは協働するサウンド向上アルゴリズムの組を実施しない。ハンドセットはこれらヘッドセットのうちの１つと通信するときに、ヘッドセットが協働するサウンド向上アルゴリズムの組を実施しないことを認識し、次にその認識に基づき、所定のハンドセットサウンド向上アルゴリズムを選択的にサウンド処理チャンネルに入れることができる。
【０００９】
本発明の別の実施形態では、ヘッドセットの少なくとも１つのサブセット内の各ヘッドセットは、協働するサウンド向上アルゴリズムのヘッドセットの組内のヘッドセットサウンド向上アルゴリズムのうちの少なくとも１つを選択的にサウンド処理チャンネルに入れたり、少なくとも１つのサウンド向上アルゴリズムをサウンド処理チャンネルから除いたり、および／または少なくとも１つのヘッドセットアルゴリズム内の少なくとも１つのパラメータを調節するかのいずれかを行うことができる。このような選択、除去、および／または調節は前記ハンドセットから送信される信号に基づいて行うことができる。
【００１０】
通信システムにおける音質を向上するための方法も提供される。ハンドセットサウンド向上アルゴリズムはハンドセットで実施され、各ハンドセットサウンド向上アルゴリズムはサウンド処理チャンネルで使用できる。ハンドセットはこのハンドセットと通信するヘッドセット内で複数のヘッドセットサウンド向上アルゴリズムのうちのどれがアクティブであるかを自動的に判断し、ハンドセットはヘッドセット内でヘッドセットサウンド向上アルゴリズムのうちのどれがアクティブであるかに基づき、サウンド処理チャンネルでどのハンドセットサウンド効果アルゴリズムを使用するかを決定する。こうしてハンドセットとヘッドセットの双方におけるサウンド向上処理の重複が防止される。
【００１１】
本発明の一実施形態では、この方法はハンドセットから受信された信号に基づき、ヘッドセット内で少なくとも１つのヘッドセットサウンド向上アルゴリズムのパラメータを選択的にイネーブルしたり、ディスエーブルしたり、または変更したりすることを含む。
【００１２】
ハンドセットおよびこのハンドセットと通信するヘッドセットで実施される通信チャンネルにおけるサウンド向上処理の重複を低減する方法も提供される。サウンド向上処理は複数の協働するアルゴリズムに分割され、ヘッドセットにおいて協働するアルゴリズムのうちの少なくとも１つのサブセットが実施される。ヘッドセットからハンドセットへ実施されたサブセットの表示が送信される。これによってハンドセットは通信チャンネルを処理する際に使用する協働するアルゴリズムのうちの第２サブセットを選択的に判断し、ヘッドセットで実施されるサウンド向上処理の繰り返しを回避することが可能となる。
【００１３】
本発明の一実施形態では、ハンドセットからの制御信号がヘッドセットで受信される。この受信された制御信号に基づき、ヘッドセット内の協働するアルゴリズムのうちの少なくとも１つを選択的にディスエーブルまたは調節する。
【００１４】
サウンド向上技術を販売する方法も提供される。サウンド向上技術は複数の協働するサウンド処理アルゴリズムに分割され、各サウンド処理アルゴリズムをサウンド処理チャンネルに選択的に追加したり、これから除くことができる。協働するサウンド処理アルゴリズムの少なくとも１つのサブセットのうちの少なくとも１つのヘッドセットにおける使用に対して料金が収集される。複数のサウンド処理アルゴリズムは、ハンドセットで使用するために自由に提供される。各ハンドセットはハンドセットと通信するヘッドセットからの情報を受信し、受信した情報に基づいてハンドセット内で実施されるサウンド処理チャンネルから各サウンド処理アルゴリズムを選択的に除いたり、このチャネルに追加したりする。
【００１５】
添付図面を参照し、本発明を実施するための最良の形態を詳細に説明する次の記載から、本発明の上記目的およびそれ以外の目的、特徴および利点が容易に明らかとなろう。
【発明を実施するための最良の形態】
【００１６】
次に図１を参照する。ここには本発明を実施できる通信システムを示すブロック図が示されている。全体が２０で示された通信システムは、相互接続システム２２を備え、この相互接続システム２０は有線電話接続、無線電話接続、ボイスオーバーＩＰ、衛星通信などのうちの１つ以上を含むことができる。通信デバイスは有線接続２４および／または無線接続２６を通して相互接続システム２２に接続している。通信デバイスは従来の有線セット２８、無線セット３０、車両内のテレマックス３２、パソコン３４、パーソナルデジタルアシスタント３６、娯楽システム、例えばＭＰ３プレイヤー、車両内のハンズフリーキット３２などを含む。簡単にするため、かかるデバイスをハンドセットと称す。一部の通信デバイスは追加機能、例えばハンズフリー動作、高い移動性、高いプライバシー、ステレオオーディオ再生、改良されたマイクロフォン、改良されたスピーカーなどを提供するために有線または無線リンクを介してハンドセットに接続している。
【００１７】
ハンドセット３８は一般に少なくとも１つのマイクロフォンおよび少なくとも１つのスピーカーを含む。所定の機能、例えばノイズキャンセル機能のために多数のマイクロフォンを含んでもよい。ステレオサウンドを提供し、音響トランスジューサに異なる周波数特性を持たせるなどのために、多数のスピーカーを設けてもよい。従来のマイクロフォンとスピーカーとの組み合わせの外に、ヘッドセット３８はパーソナルデジタルアシスタント３６、パーソナルコンピュータ３４、ＭＰプレイヤーなどの娯楽システム、車両内ハンズフリーキット３２などの、サウンドを受信し、またはサウンドを発生する任意の通信デバイスを含むことができる。
【００１８】
ハンドセット３８は種々のハンドセットデバイスと共に作動するようになっている。有線ヘッドセット３８は一般に、例えば無線電話３３にプラグインするための標準的なコネクタを含む。ヘッドセット３８に接続するための無線リンク４０を含むハンドセットは次第に普及しつつある。無線リンク４０は、規格、例えばＩｒＤＡで指定されるような赤外線光を利用できるか、またはブルートゥース、ＩＥＥＥ８０２.１１、ＩＥＥＥ８０２.１５などの規格で指定されているような無線信号も利用できる。
【００１９】
ヘッドセット３８は音質を改善するための機能を含むことが多くなっている。この機能としてはサウンド向上処理、例えば音響エコーキャンセル、ノイズキャンセル、周波数伸長、ダイナミック可聴性向上、音響ショック保護などを挙げることができる。ヘッドセット３８は種々のハンドセットと共に作動するようになっていること、およびこれらハンドセットはサウンド向上処理も実施できるので、サウンド処理機能の重複が生じ得る。このように重複が生じる結果、過剰な処理が行われ、向上処理を実施しない場合よりも悪化した音質が認識されるような状態となることが多い。従って、ヘッドセットおよびハンドセットの相互交換性の最も満足できる効果を得るために、どのデバイスが種々の向上アルゴリズムを実施するかを制御することが必要である。この制御は、ハンドセット内のアルゴリズムとヘッドセット内の対応するアルゴリズムの間でパラメータを調節することを含み得る。
【００２０】
次に図２を参照する。ここには本発明の実施形態に係わるハンドセットとヘッドセットを示すブロック図が示されている。全体が番号５０で示された、音質を向上するためのシステムは、全体が番号５２で示されたハンドセットと、全体が３８で示されたヘッドセットとを含む。ハンドセット５２はサウンドを電気信号に変換するための少なくとも１つのマイクロフォン５４と、電気信号をサウンドに変換するための少なくとも１つのスピーカー５６を一般に含む。同様に、ヘッドセット３８は少なくとも１つのマイクロフォン５８と、少なくとも１つのスピーカー６０とを一般に含む。しかしながら、当業者であれば理解できるように、いずれかのデバイスは２つ以上のマイクロフォン、２つ以上のスピーカーを含んでもよいし、またマイクロフォンもしくはスピーカーを含まなくてもよい。例えばシステム５０が娯楽システム、例えばＭＰ３プレイヤーである場合、ヘッドセット３８は２つのスピーカーを有し、マイクロフォンは含まなくてもよく、ハンドセット５２はマイクロフォンもスピーカーも含まなくてよい。別の例として、ヘッドセット３８はノイズキャンセルを改善するために多数のマイクロフォンを有することができる。
【００２１】
ハンドセット５２は有線接続２４または無線接続２６を通してハンドセット５２と相互接続システム２２とを接続するためのシステムインターフェース６２を一般に含む。本発明は音声およびデータを搬送するための標準的な通信用システム２２と共に作動するだけでなく、データだけ、または音声信号のみを搬送するようになっているシステムとも作動する。ハンドセット５２は無線リンク４０を通してヘッドセット３８と無線通信するための無線インターフェース６２も含む。当業者であれば理解できるように、無線インターフェース６２はヘッドセット３８に対する有線接続用ポートと置換してもよいし、このポートを追加してもよい。
【００２２】
ハンドセット５２はサウンド向上アルゴリズムの１グループを実現する。図２に示される実施形態では、マイクロフォン５４でスタートする送信チャンネル６４と、スピーカー５６で終端する受信チャンネル６６の双方でサウンド向上が実現される。送信チャンネル６４では、まずマイクロフォン５４によりサウンド信号が電気信号に変換される。フィルタ、増幅器、アナログ−デジタルコンバータ（ＡＤＣ）、時間−周波数変換器（例えばＦＦＴアルゴリズム）を含むことができる送信側条件化回路６８は、送信側処理のためのマイクロフォン信号を発生する。送信側処理回路はハンドセット５２が作動している環境によって生じる音響エコーを低減するために出信号および入信号を処理する音響エコーキャンセル回路（ＡＥＣ）７０を含むことができる。追加送信側処理回路７２は、自動レベルチューニング機能（ＡＬＴ）、ノイズキャンセル（ＮＣ）機能、圧縮機能、スペクトル整形機能、符号化機能などを含むことができる。
【００２３】
ハンドセット受信側チャンネル６６は、スピーカー５６を使ってアナログ電気信号をサウンドに変換する。受信側条件化回路７４はフィルタ、増幅器、デジタル−アナログ変換器（ＤＡＣ）、周波数−時間変換器（例えばＩＦＦＴアルゴリズム）などを含むことができる要素を使ってアナログ信号を発生する。受信側処理回路はバンド幅が限られた相互接続システム２２を介した送信により失われた、または減衰した周波数成分を発生するための周波数伸長器７６（ＦＥＸ）を含むことができる。追加受信側処理回路７８は音響ショック保護機能（ＡＳＰ）、ダイナミック可聴性向上機能（ＤＡＥ）、ノイズキャンセル機能（ＮＣ）、自動レベルチューニング（ＡＬＴ）、逆圧縮機能、スペクトル整形機能、符号化機能などを含むことができる。
【００２４】
送信側アルゴリズム７０、７２と受信側アルゴリズム７６、７８は全体が番号８０で示された一セットの、または一組のハンドセットサウンド向上アルゴリズムを含み、このアルゴリズムは協働してスピーカー５６が発生した、および／またはマイクロフォン５４から受信された音質を改善する。ハンドセットの組８０はハンドセット５２内のデジタル信号プロセッサによって実現することが好ましい。しかしながら、当業者であれば理解できるように、組８０内のアルゴリズムはプロセッサで実行されるソフトウェア、ディスクリートアナログ部品、ディスクリートデジタル部品、プログラマブル論理デバイス、カスタム集積回路などのうちの１つ以上によって実現できる。下記により詳細に説明するように、組８０内のアルゴリズムはチャンネル６４、６６に選択的に設けてもよいし、取り除いてもよい。このような切り替えは、当業者であれば公知のように、ソフトウェア内の種々のフロー制御命令またはハードウェア内のアナログまたはデジタルスイッチによって達成できる。切り替えは、同じタスクを達成するための組８０内のアルゴリズムを選択する可能性を含む。例えば、組８０は単一マイクロフォン入力、２つのマイクロフォン入力およびアレイマイクロフォン入力のための異なるノイズキャンセルアルゴリズムを実現できる。スイッチングは組８０のうちの１つ以上のアルゴリズム内のパラメータ値の設定も含む。設定できるパラメータ値として、時間ドメインフィルタ係数、周波数ドメイン等化係数、ノイズキャンセル減衰ファクタ、信号加算器内の重み付けファクタ、サンプリングレート、周波数ビンの数、周波数ビンのレンジ、時間ウインドー長さ、エンベロープ形状係数、ビットレートなどが挙げられる。
【００２５】
ハンドセット６４は受信側チャンネル６６をヘッドセット３８に送信し、ヘッドセット３８から送信側チャンネル６４を受信し、リンク４０を通して双方のことを行うことができる無線インターフェース６３を含む。一般に受信側チャンネル６６はヘッドセット５２内のスピーカー５６へ送られるか、またはリンク４０を通してヘッドセット３８のスピーカー６０へ送られる。更に一般に、送信側チャンネル６４はリンク４０を通して、ハンドセット５２上のマイクロフォン５４からの信号、またはヘッドセット３８上のマイクロフォン５８からの信号を受信する。このような選択は論理受信側スイッチ８２および論理送信側スイッチ８４によってそれぞれ示されている。しかしながら、ハンドセット５２上のスピーカー５６およびヘッドセット３８上のスピーカー６０を同時に駆動するようにハンドセット５２を構成することもできる。また、ハンドセット５２上のマイクロフォン５４とヘッドセット３８上のマイクロフォン５８の双方からのサウンド信号を受信し、例えばノイズキャンセルのために多数のマイクロフォンを設けるようにハンドセット５２を構成することもできる。かかるシステムでは、ＡＥＣ７０およびＦＥＸ７６がハンドセット５２とヘッドセット３８との間で伝送される信号に影響しないようにスイッチ８２、８４の位置を定めることが望ましい。
【００２６】
ヘッドセット３８はハンドセット５２上の無線インターフェース６３と通信するための無線インターフェース９０を含む。ヘッドセット３８は有線接続によりハンドセット５２にセットすることもできる。図２に示されたヘッドセット３８の実施形態では、無線インターフェース９０は、ヘッドセット３８内の送信側チャンネル６４と受信側チャンネル６６の双方をサポートする。ヘッドセットの送信側チャンネル６４は、マイクロフォン５８からの入力信号を受信する送信側条件化電子回路９２を含む。ヘッドセットのＡＥＣ回路９４はヘッドセット３８が作動している環境によって発生したエコーを低減する。追加ヘッドセット送信側処理回路９６は、自動レベルチューニング機能（ＡＬＴ）、ノイズキャンセル（ＮＣ）機能、圧縮機能、スペクトル整形機能、符号化機能などを含むことができる。ヘッドセットの受信側チャンネル６６はヘッドセットの受信側条件化回路９８からのヘッドセットスピーカー６０をドライブする。ヘッドセットのＦＥＸ１００は周波数伸長を行う。追加ヘッドセット受信側処理回路１０２は音響ショック保護機能（ＡＳＰ）、ダイナミック可聴性向上機能（ＤＡＥ）、ノイズキャンセル機能（ＮＣ）、自動レベルチューニング（ＡＬＴ）、逆圧縮機能、スペクトル整形機能、符号化機能などを含むことができる。サウンド向上アルゴリズム９４、９６、１００、１０２は総合的に１０４で示されたアルゴリズムのヘッドセットの組を構成し、これらアルゴリズムは協働してヘッドセット３８内の送信側チャンネル６４と受信側チャンネル６６の一方または双方の特性を向上する。
【００２７】
種々のヘッドセット３８はハンドセット５２とインターフェースできる。各ヘッドセットはヘッドセットの組１０４を構成する異なる部品を有することができる。更に、ハンドセットの組８０およびヘッドセットの組１０４、および種々のヘッドセット３８間で対応する要素に対して異なるアルゴリズムを使用することもできる。例えばヘッドセット３８は、ハンドセット５２で実現されるアルゴリズムとは異なるノイズキャンセルアルゴリズムを実施できる。また、ハンドセット５２５２と共に使用するための一部のヘッドセット３８は、ヘッドセットの組１０４の任意の要素を含むことができないようにすることも可能である。ヘッドセット３８およびハンドセット５２内に異なるサウンド処理機能を持たせるフレキシビリティを得た結果、潜在的な性能上のコストが生じる。特にハンドセット５２と共にヘッドセット３８を使用することにより種々のサウンド向上動作が重複し得る。このように動作が重複することは、全体としてシステムの性能に深刻な影響を与え得る。例えばチャンネル６４、６６の一方または双方が過剰処理されると、音質が低下し、その結果、サウンド向上処理を全くしない場合よりも信号が悪化することが認識される。
【００２８】
ハンドセット５２と共に種々のタイプのヘッドセット３８をフレキシブルに使用できるようにすることにより過剰処理が生じる可能性を克服するために、本発明はヘッドセットの組１０４に基づき、ハンドセット５２内のチャンネル６４、６６を選択的に処理する。図示されている実施形態では、ヘッドセット３８上の無線インターフェース９０はヘッドセットの組１０４の構成に関してリンク４０を通してハンドセット５２５２上の無線インターフェース６３に通知する。次に無線インターフェース６３はハンドセット５２内のチャンネル６４および６６を処理するためのハンドセットの組８０の要素を選択的に含んだり、排除したりする制御信号１１０を発生する。
【００２９】
ヘッドセットの組１０４に関し、ハンドセット５２に通知するための種々の方式が可能である。例えばヘッドセットの組１０４のための限られた数の構成の各々に識別子を割り当てることができ、この識別子はリンク４０を通して送信される。別の可能な方式では、ヘッドセット３８を記述するモデル番号をリンク４０を通して送信する。更に別の方式では、各アルゴリズムのクラスまたはモードにユニークなコードを割り当てる。このコードはモード内の特定のアルゴリズムに対する識別子と共に送信される。例えばノイズキャンセル、音響ショック保護および自動レベルチューニングがすべて可能なモードである。追加情報は、各コード、例えばバージョン番号、アルゴリズムパラメータ、検出された環境パラメータ、検出された信号パラメータなどを伴うことができる。
【００３０】
ヘッドセット３８からハンドセット５２へ通知情報を送信するための種々の技術も可能である。バンド内信号も使用できる。例えばヘッドセット無線インターフェース９０による送信側チャンネル６４に１つ以上の低電力ウォーターマーク信号を追加してもよい。これらウォーターマーク信号はハンドセット５２内の無線インターフェース６３によって読み出され、可能な場合には除去される。別の可能な手段は、バンド外信号を使用することである。この信号は当業者に公知のようにリンク４０を通して送信されるサイドバンド信号または直交変調信号を含むことができる。
【００３１】
通知情報を送信するための別の技術はヘッドセット３８とハンドセット５２との間にリンク４０を設定するための開示プロセスを使用する。例えばブルートゥース規格はサービス開示プロトコル（ＳＤＰ）を定めるサービス開示アプリケーションプロフィルを含む。ハンドセット５２はブルートゥースローカルデバイスとして機能し、ヘッドセット３８はブルートゥースリモートデバイスとして機能する。これら役割において、ハンドセット５２はサービス開示手順を開始し、ヘッドセット３８はサービス記録データベースからデータを供給することによってサービスの問い合わせに応答する。データベースはヘッドセット無線インターフェース９０内の不揮発性メモリで実現できる。ブルートゥースはサービスクラスによるサービスのサーチ、サービス属性によるサービスのサーチ、およびハンドセット５２によるサービスブラウジングを含む種々のシナリオをサポートする。
【００３２】
ハンドセットの組８０内の制御アルゴリズムの外にハンドセット無線インターフェース６３は、ヘッドセットの組１０４内のアルゴリズムの作動も制御できる。無線インターフェース９０は、ヘッドセットの組１０４内のアルゴリズムを選択的に制御するための制御信号１１２も発生する。ヘッドセットの組１０４のコンテントに関するヘッドセット３８からの情報を受信した後に、ハンドセット無線インターフェース６３は、ヘッドセットの組１０４内のどのアルゴリズムを附勢させるかをヘッドセット無線インターフェース９０に命令するコマンドをリンク４０を通して発生する。この制御信号は、ハンドセットの組８０が良好なアルゴリズム、大きい処理パワー、環境に関する良好な情報などに起因してよりすぐれたサウンド処理を提供できるとハンドセット５２が判断した場合に、ヘッドセットの組１０４内のアルゴリズムを除勢するように使用できる。ハンドセット５２はヘッドセット３８内の条件の変化、例えば低バッテリー表示信号１１４に基づき、ヘッドセット３８内のパワーを保存するために、すべてまたは一部のサウンド向上処理を引き継ぐこともできる。この制御信号はヘッドセットの組１０４内の１つ以上のアルゴリズムのパラメータを調節するのにも使用できる。この信号は、例えば同じタイプの部分処理またはハンドセット５２およびヘッドセット３８内の双方におけるモードを可能にするために使用できる。
【００３３】
ハンドセット無線インターフェース６３はパラメータリンク１１６を通して電話システムインターフェース６２と通信することもできる。このように無線インターフェース６３は、サウンド向上をするために組８０内および／または組１０４内のどのアルゴリズムが使用中であるかに関する表示を提供できる。この表示は次にサウンド向上処理のエンドツーエンド設定のために相互接続システム２２を通して中継できる。その他の情報、例えばアルゴリズムパラメータ、機器識別子、作動条件などを相互接続システム２２を通してハンドセット５２の間で送ることもできる。
【００３４】
図２に示された実施形態は２つのデバイス、すなわちハンドセット５２とヘッドセット３８とを示す。しかしながら、本発明は種々のコンフィギュレーションとともに作動する。例えば無線電話を受け入れるハンズフリーキットは着用可能なヘッドセットと通信できる。このハンズフリーキットはハンドセット５２、ヘッドセット３８またはその双方として機能できる。第１のケースではハンズフリーキットは本発明を実施しない電話をインターフェースできるか、または音質をインタラクティブに改良するよう、本発明を実施する電話と共に作動できる。第２のケースでは、ハンズフリーキットは１つ以上のマイクロフォンおよびスピーカーを供給または接続することにより、ヘッドセットとして機能できる。このハンズフリーキットはサウンド処理能力に関する電話情報を送る。同様に、その他のデバイスはハンドセット５２、ヘッドセット３８またはその双方、例えばパーソナルデジタルアシスタント、パソコン、パーソナル娯楽システム、自動車用電子回路などとして作動できる。
【００３５】
次に図３を参照すると、ここには本発明の一実施形態に従って処理をするためのサウンド向上アルゴリズムを選択する方法を示すフローチャートが示されている。当業者であれば理解できるように、図示されている動作は必ずしもシーケンシャルな動作ではない。本発明の要旨の範囲内ではステップの順序を変えることができ、ここに図示した順序は論理的な表示をするためのものにすぎない。更に１つの場所または分散された場所でハードウェア、ソフトウェア、ファームウェアなどの任意の組み合わせによって図示された方法を実現できる。本発明は特定の実現例を越えるものであり、説明を容易にするために一実施形態はシーケンシャルなフローチャートで示されている。
【００３６】
ブロック１３０のように、ヘッドセットが検出されたかどうかを判断するためのチェックを行う。有線回線のリンクを介してヘッドセットがハンドセットに接続している場合、ヘッドセットの存在を判断するためにジャックスイッチを使用できる。ヘッドセットとハンドセットとが無線で接続可能な場合、ヘッドセットへの無線リンクの存在により、必要な表示がなされる。ヘッドセットが検出されなければ、この方法はチェックを繰り返す。ポーリング、インタラプト処理などにより、このプロセスを実現できる。
【００３７】
ブロック１３２のように接続されたヘッドセットが分散式サウンド向上処理をサポートしているかどうかのチェックを行う。ヘッドセットから受信された信号に基づき、リンクされているヘッドセットが本発明をサポートしているかどうかをハードウェアが判断する。ヘッドセットが分散式サウンド向上処理をサポートしていない場合、ハンドセットはブロック１３４の場合のように、アルゴリズムを所定のデフォルトコンフィギュレーションにセットする。このデフォルトコンフィギュレーションは、例えばリンク分散式サウンド向上処理をサポートしていないリンクされたヘッドセットが、重要なサウンド向上処理を実行しないという仮定に基づくことができる。
【００３８】
リンクされたヘッドセットが分散式サウンド処理をサポートしている場合、どのアルゴリズムのクラスまたはモードがサポートされているかを判断するためのチェックが行われる。このチェックはブロック１３６により実現されるｄｏ−ｗｈｉｌｅ ｌｏｏｐによって表示される。一旦すべてのモードがチェックされると、サウンド向上の初期化が完了し、コーディネートされたサウンド処理を続行できる。
【００３９】
各向上モードに対して、ブロック１３８のようにヘッドセットがモードをサポートしているかどうかの判断をするチェックを行う。モードを実現するアルゴリズムがヘッドセットで実行可能な旨の信号をヘッドセットが出力する場合、ヘッドセットはそのモードをサポートする。ヘッドセットがモードをサポートしない場合、ブロック１４０のように対応するハンドセットアルゴリズムが使用される。
【００４０】
ヘッドセットが検討されたモードをサポートする場合、ブロック１４２のように、ハンドセットがヘッドセットモードを廃棄すべきかどうかを判断するためのチェックがなされる。リンクされたハンドセット内に対応するヘッドセットアルゴリズムが存在しても、ハンドセットアルゴリズムを使用すると決定できる。例えば、ハンドセットアルゴリズムがすぐれていること、ハンドセットがより大きい処理パワーを有していること、ハンドセットアルゴリズムが使用のために選択された他のサウンド向上アルゴリズムにより良好にマッチしていること、ヘッドセットがパワーの点で低いこと、ハンドセットが、処理のためにより良好な入力信号を有していることをハンドセットが判断した場合、このようなことが生じ得る。ハンドセットモードがヘッドセットモードを無効にした場合、ブロック１４０に示されるように、対応するハンドセットアルゴリズムが使用される。そうでない場合、ブロック１４４の場合のように、対応するヘッドセットアルゴリズムが使用される。
【００４１】
次に、図４ａおよび４ｂを参照する。ここには、本発明の一実施形態に係わる異なるヘッドセットのためのチャンネルフローを示すブロック図が示されている。図４ａはハンドセット音響ショック防止回路（ＡＳＰ）回路１５０、ハンドセットダイナミック可聴性向上（ＤＡＥ）回路１５２、ハンドセットノイズキャンセル（ＮＣ）回路１５２およびハンドセット周波数伸長（ＦＥＸ）回路１５６のためのアルゴリズムを含むハンドセットの組８０を示す。図４ａはハンドセットＡのＡＳＰ１５８およびヘッドセットＡのＦＥＸ１６０のためのアルゴリズムを含むヘッドセットＡの組１０４も示す。初期化の次に、受信側チャンネル６６はハンドセットＡＳＰ１５０、ハンドセットＤＡＥ１５２、ヘッドセットＡ  ＮＣ１５８およびヘッドセットＡ  ＦＥＸ１６０により処理された信号により、ヘッドセットＡのスピーカー６０を駆動するようになっている。このようなコンフィギュレーションの結果、ノイズキャンセルおよび周波数変調がヘッドセットＡだけで処理され、重複した処理が回避される。
【００４２】
図４ｂは異なるヘッドセット、例えばヘッドセットＢに属すヘッドセットの組１０４に結合された同じハンドセットの組８０を示す。ヘッドセットＢの組１０４はヘッドセットＢのＡＳＰ１６２およびヘッドセットＢ  ＦＥＸ１６４とを含む。この場合、初期化の後で受信側チャンネル６６はハンドセットＤＡＥ１５２、ハンドセットＮＣ１５４、ヘッドセットＢ  ＡＳＰ１６２およびヘッドセットＢ  ＦＥＸ１６４により処理された信号により、ヘッドセットＢのスピーカー６０を駆動するようになっている。ハンドセットの組８０におけるこれら部品をディスエーブルすることにより、音響ショック防止および周波数伸長の重複的処理が回避される。
【００４３】
次に図５を参照すると、本発明の一実施形態に従ってサウンド向上を実現するエンドツーエンドの通信を示すブロック図が示されている。電話ボコーダと、自動化されたサウンド声認識システムの双方による実験によれば、かかるシステムはノイズによる悪影響を受け、サウンド処理はかかるシステムの性能を改善できることが示された。しかしながら、自動化された認識システムおよびボコーダと共に使用するための最適なサウンド処理アルゴリズム、例えばノイズキャンセルは、聴取者が使用するための最適なアルゴリズムとは異なることがある。更に相互接続チャンネル２２を通した送信前に最適であり、自己の処理を実施できるものはかかる送信後に最適であるものと異なることがある。受信側処理回路７８および受信側処理回路１０２の一方または双方を判断する際の、送信側処理回路７２、９６に関する情報を使って、相互接続システム２２を通した送信が改善される。
【００４４】
一実施形態ではハンドセット５２はハンドセットのマイクロフォン５４およびヘッドセットのマイクロフォン５８の一方または双方から生じた信号を符号化するボコーダ１７０を含む。信号発生器１７２はハンドセットの送信側処理回路７２および使用している場合にはヘッドセットの送信側処理回路９６を表示する信号を発生する。信号発生器１７２の出力は、例えば相互通信信号１７４が示す、実行された処理を表示する１つ以上の低パワーウォーターマーク信号を含む処理されたオーディオ信号となり得る。信号発生器１７４は、バンド外信号および／または相互接続システム２２を通した接続を開始する際に使用される信号も使用できる。図２も同じように参照すると、信号発生器１７２は電話システムインターフェース６２、無線インターフェース６３の一部または別個の部品として実現できる。信号発生器１７２は無線インターフェース６３からのハンドセットの送信側処理回路７２およびヘッドセットの送信側処理回路９６の一方または双方に関する情報を受信できる。ヘッドセット３８内の信号発生器１７２およびボコーダ１７０の機能の一部またはすべてを設けることも可能である。
【００４５】
図５に示された実施形態では、受信ハンドセット５２内のデコーダ１７６および信号抽出器１７８によって相互通信信号１７４が受信される。信号抽出器１７８は相互通信信号１７４からの送信側処理７２、９６に関する情報を抽出する。この信号抽出器１７８は送信側処理７２、９６に関する情報を使ってハンドセットの受信側処理７８を決定し、適応可能な場合にはヘッドセットの受信側処理１０２を決定する。信号抽出器１７８はハンドセットの受信側処理７８の動作を表示するための制御信号１９０を発生する。信号抽出器１７８はヘッドセットの受信側処理１０２の動作を表示する、リンク４０を通して送られる制御信号１８２を発生する。デコーダ１７６および信号抽出器１７８は電話システムインターフェース６２、無線インターフェース６３内、または別個の部品として実現できる。他の実現例ではヘッドセット３８内でデコーダ１７６および信号抽出器１７８の機能の一部またはすべてを実現できる。
【００４６】
１つの応用例では送信側処理回路７２、９６はボコーダ１７０の性能、マルチバンド圧縮、時間ドメイン圧縮、周波数バンド等化のためのスペクトル整形および／またはその他の最適なプリボコーダ処理を最適にするようにチューニングされたノイズ除去用の１つ以上のアルゴリズムを実行する。相互接続システム２２を通して送信されるレシピデシグネータはオーディオ信号に適用されるプリボコーダ処理の特徴を定める。信号抽出器１７８は送信されたプリボコーダ処理レシピデシグネータを検出し、制御信号１８０、１８２の一方または双方を発生する。
【００４７】
受信側処理回路７８、１０２は聴取者にとってより最適となるポストボコーダ（およびポスト送信）処理レシピを発生するように特殊な変更を行う。例えば受信側処理回路７８、１０２は聴取者が拒絶するような多量の追加ノイズ除去を加えることなく、少量の追加ノイズ除去を行うことができる。他の可能性は受信側処理回路がマルチバンド圧縮、時間領域圧縮、スペクトル整形および／またはその他のボコーダ１７０の性能を最適にするように適用されるプリボコーダ処理を完全に、または部分的にアンドゥーできることである。
【００４８】
本発明は送信側でのボコーディングおよび送信用の信号の最適化および受信側での、人を快適にするための受信信号を最適化することの一方または双方を可能にするものである。追加される利点は受信側処理回路７８、１０２が受信側に通信し、送信側処理回路７２、９６に影響し、適当な補正的および／または向上処理を可能にすることにより、デュプレックス相互接続チャンネル２２で別の利点を得ることができる。
【００４９】
次に図６を参照すると、ここには本発明の一実施形態に係わるサウンド向上技術分散を示すフローチャートが示されている。再度述べるが、ここに図示されている動作は必ずしもシーケンシャルな動作ではない。本発明の要旨の範囲内では、ステップの順序を変更でき、ここに示した順序は単なる論理的な表示のためのものにすぎない。本発明は特定の実現例を越えるものであり、説明を容易にするため、シーケンシャルなフローチャートで示されている。
【００５０】
ハンドセットメーカーとヘッドセットメーカーの双方がこれらハンドセット５２とヘッドセット３８などの間で交換される情報の組のコンテント、フォーマットおよび方法のような実現の細部に関して同意すれば、本発明の利点が最も完全に実現できよう。ハンドセットメーカーはマーケットを支配しており、業界全体のサブセットとは別個に、またはサブセットとして規格を定めていることが多い。各ハンドセットメーカーをサポートするように各ヘッドセット３８内の異なる規格を実現できるが、共通な実現例の細部が採用されれば、コストを下げ、複雑さを緩和できる。
【００５１】
最初のステップは、ブロック１９０に示されるようにサウンド向上を協働するサウンド処理アルゴリズムに分割することである。機能、例えばノイズキャンセル、音響ショック防止、エコーキャンセルなどに基づき、サウンド向上をパーティション化できる。サウンド向上は実現例、例えばアナログで実現されるアルゴリズムまたは特定のプロセッサでパーティション化することもできる。パーティションの更に別の組は、コストまたは性能スレッショルドに基づくことができる。例えばベースヘッドセットは内蔵処理回路を有していなくてもよい。次のレベルアップはエコーキャンセルしか含まなくてよい。次のレベルアップはノイズキャンセルおよび周波数伸長を追加できる。次のレベルアップは音響ショック防止を追加できる。一旦パーティション化が決定されると、サウンド向上の組を開発できる。
【００５２】
ブロック１９２におけるようにヘッドセットにおいてサウンド処理アルゴリズムを使用するための料金が含まれる。本発明に係わるサウンド向上の組１０４を含むヘッドセット３８はユーザーに対して優れた音質およびフレキシビリティを提供する。ユーザーはこれら利点を認識し、本発明を実現するコストを吸収する。
【００５３】
ブロック１９４のように、ハンドセット内で使用するためのサウンド処理アルゴリズムは自由に販売される。自由に利用できれば、ハンドセットメーカーは本発明をハンドセット５２に組み込む。この理由は、ハンドセット５２はヘッドセット３８に接続されているかどうかに係わらず、ハンドセットの組８０はハンドセット５２の性能を改善できるからである。更に、ハンドセットの組８０を設けることによってより広範な種類のヘッドセット３８と共にハンドセット５２を使用するフレキシビリティが高まる。
【００５４】
以上で、本発明の実施形態について示し、説明したが、これら実施形態は本発明のすべての可能な形態を示し、説明するものではない。むしろ、本明細書で使用した用語は発明を限定するものではなく、発明を説明するための用語であり、本発明の要旨から逸脱することなく、種々の変更が可能である。
【図面の簡単な説明】
【００５５】
【図１】本発明を実施できる通信システムを示すブロック図である。
【図２】本発明の一実施形態に係わるハンドセットおよびヘッドセットを示すブロック図である。
【図３】本発明の一実施形態に係わる処理のためのサウンド向上アルゴリズムの選択を示すフローチャートである。
【図４ａ】本発明の一実施形態に係わる、あるヘッドセットのためのチャンネルフローを示すブロック図である。
【図４ｂ】本発明の一実施形態に係わる別のヘッドセットのためのチャンネルフローを示すブロック図である。
【図５】本発明の一実施形態に係わるサウンド向上を実施するエンドツーエンド通信を示すブロック図である。
【図６】本発明の一実施形態に係わるサウンド向上技術の分散を示すフローチャートである。
【符号の説明】
【００５６】
２０    通信システム
２２    相互接続システム
２４    有線接続
２６    無線接続
２８    有線セット
３０    無線セット
３２    車両
３４    パソコン
３６    パーソナルデジタルアシスタント
３８    ヘッドセット
４０    無線リンク
５２    ハンドセット
５４、５８    マイクロフォン
５６、６０    スピーカー
６２    システムインターフェース
６３    無線インターフェース
【図１】
2005354683.tif 000003
【図２】
2005354683.tif 000004
【図３】
2005354683.tif 000005
【図４ａ】
2005354683.tif 000006
【図４ｂ】
2005354683.tif 000007
【図５】
2005354683.tif 000008
【図６】
2005354683.tif 000009